(57)【特許請求の範囲】
【請求項１】
衣類を収容する回転ドラムと、この回転ドラムを内包して洗濯水を溜める外槽と、この外槽の底面の排水口と床面に設けられた排水孔とを接続する排水ホースと、前記回転ドラムを駆動するモータと、このモータと電気的に接続された制御装置と、前記外槽を支持する筐体を備え、この筐体が、前面カバー、この前面カバーとは別に設けられた下部前面カバー，左右の側板，上面カバー及び背面カバーを有する筐体本体部と、この筐体本体部の下に位置する筐体底部とで構成され、前記制御装置が前記筺体の下部に設けられたドラム式洗濯乾燥機において、前記筐体底部は、前面と左右の側面と背面とで四方を囲み前記筐体本体部を載置するベースを有し、このベースは、その前面が上方へ向けて開口する切り欠き部が形成されており、この切り欠き部の開口幅が前記制御装置の幅寸法よりも大きく、前記切り欠き部を含む前記ベース前面の全体を覆うベース前面カバーを、前記ベース前面に着脱可能に取り付け、前記下部前面カバーを、前記左右の側板に着脱可能に取り付けたことを特徴とするドラム式洗濯乾燥機。
【請求項２】
請求項１において、前記ベース前面カバーの裏側には係合子が設けられ、前記ベースの前面には係合穴が設けられ、前記ベース前面カバーが前記ベースから完全に取り外されることを特徴とするドラム式洗濯乾燥機。
【発明の詳細な説明】
【技術分野】
【０００１】
本発明は、衣類等の洗濯から乾燥まで通じて行うことのできるドラム式洗濯乾燥機に関する。
【背景技術】
【０００２】
ドラム式洗濯乾燥機は、衣類を収容する回転ドラムと、この回転ドラムを内包して洗濯水を溜める外槽と、回転ドラムを駆動するモータと、このモータを電気的に接続された制御装置と、外槽を支持する筐体を備えている。そして、この筐体は、前面カバー，左右の側板，上面カバー及び背面カバーを有する筐体本体部と、この筐体本体部の下に位置する筐体底部とで構成される。
【０００３】
例えば、下記特許文献には、前面カバーとは別に、下部前面カバーを設け、これらのカバーによって意匠面を形成したドラム式洗濯乾燥機が記載されている。
【先行技術文献】
【特許文献】
【０００４】
【特許文献１】特開２００８−１１３９７６号公報
【発明の概要】
【発明が解決しようとする課題】
【０００５】
上記特許文献１に係るドラム式洗濯乾燥機では、外槽の下にある配管のメンテナンスを行う際には、図１０のように、まず下部前面カバーを外した後、ベースの高さ位置まで制御装置を一旦持ち上げて傾けることにより、制御装置を取り出していた。しかしながら、制御装置が設置される筐体内部は、スペースが非常に狭いので、手を入れて制御装置を持ち上げるのが大変で、作業性が悪い。
【０００６】
本発明の目的は、外槽の下に位置する配管のメンテナンス作業を容易にするだけでなく、制御装置の点検も容易なドラム式洗濯乾燥機を提供することにある。
【課題を解決するための手段】
【０００７】
上記目的を達成するために、本発明は、衣類を収容する回転ドラムと、この回転ドラムを内包して洗濯水を溜める外槽と、この外槽の底面の排水口と床面に設けられた排水孔とを接続する排水ホースと、前記回転ドラムを駆動するモータと、このモータと電気的に接続された制御装置と、前記外槽を支持する筐体を備え、この筐体が、前面カバー、この前面カバーとは別に設けられた下部前面カバー，左右の側板，上面カバー及び背面カバーを有する筐体本体部と、この筐体本体部の下に位置する筐体底部とで構成され、前記制御装置が前記筺体の下部に設けられたドラム式洗濯乾燥機において、前記筐体底部は、前面と左右の側面と背面とで四方を囲み前記筐体本体部を載置するベースを有し、このベースは、その前面が上方へ向けて開口する切り欠き部が形成されており、この切り欠き部の開口幅が前記制御装置の幅寸法よりも大きく、前記切り欠き部を含む前記ベース前面の全体を覆うベース前面カバーを、前記ベース前面に着脱可能に取り付け、前記下部前面カバーを、前記左右の側板に着脱可能に取り付けた。
【発明の効果】
【０００８】
本発明によれば、外槽の下に位置する配管のメンテナンス作業を容易にするだけでなく、制御装置の点検も容易なドラム式洗濯乾燥機が提供できる。
【図面の簡単な説明】
【０００９】
【図１】本発明に係るドラム式洗濯乾燥機の外観を示す斜視図である。
【図２】本発明に係るドラム式洗濯乾燥機の内部構造を示す側面図である。
【図３】下部前面カバーを取り外した状態を示す斜視図である。
【図４】ベース前面カバーを取り外した状態を示す斜視図である。
【図５】ベース前面カバーの裏面図である。
【図６】ベース前面カバーの正面図である。
【図７】制御装置の固定状態を示す斜視図である。
【図８】制御装置の取出状態を示す斜視図である。
【図９】制御装置を支持する係止部の詳細を示す側面図である。
【図１０】従来のドラム式洗濯乾燥機の外観を示す斜視図である。
【発明を実施するための形態】
【００１０】
以下、本実施例のドラム式洗濯乾燥機について、図１〜図９を用いて説明する。
【００１１】
本実施例のドラム式洗濯乾燥機は、筐体１，回転ドラム１０，外槽２０，モータ３０などを備えている。
【００１２】
図１に示すように、筐体１は、外郭が鋼板と樹脂成型品とを組み合わされた筐体本体部と、この筐体本体部の下に位置する筐体底部で構成されている。また、筐体本体部は、左右の側板１ａ，前面カバー１ｃ，背面カバー１ｄ，上面カバー１ｅ，下部前面カバー１ｆで形成されている。左右の側板１ａは、コの字型の上補強材（図示せず），前補強材（図示せず），後補強材（図示せず）で結合されている。このような筐体本体部と筐体底部を含めて箱状の筐体１を形成し、筐体１として十分な強度を実現している。
【００１３】
筐体１の前面カバー１ｃの略中央には、衣類を出し入れするための投入口を塞ぐドア２が、前補強材に設けたヒンジ（図示せず）で開閉可能に支持されて構成されている。ドア２の近傍の前面カバー１ｃには、ドア２のロック機構（図示せず）を解除するドア開放ボタン３が設けられている。ドア開放ボタン３を押すことで、ロック機構が外れてドア２が開き、ドア２を前面カバー１ｃに押し付けることでロックされて閉じるようになっている。前補強材は、後述する外槽２０の開口部２０ｂと同心に、衣類を出し入れするための円形の開口部を有している。
【００１４】
操作パネル４は、操作部および表示部を備え、筐体１の上部中央に設けられている。また、操作パネル４の右側には、電源をＯＮ／ＯＦＦする電源入ボタン（図示せず）および電源切ボタン（図示せず）が別々に設けられている。操作パネル４，電源入ボタンおよび電源切ボタンは、筐体１の下部に設けられた制御装置１２と電気的に接続されている。
【００１５】
また、操作パネル４の左側には、洗剤や柔軟剤などを投入する引き出し式のトレイ５が設けられ、操作パネル４の右側には、引き出し式の乾燥フィルタ６が設けられている。乾燥フィルタ６は、メッシュ式のフィルタを備えており、乾燥運転時に糸くずや埃などが除去されるようになっている。また、上面カバー１ｅには、水道栓と接続される給水ホース接続口７，風呂の残り湯を汲み上げるホースが接続される給水ホース８が設けられている。
【００１６】
図２に示すように、破線で示す回転ドラム１０は、筐体１内に設けられ、回転可能に支持された円筒状の洗濯兼脱水槽として衣類を収納する。この回転ドラム１０は、手前側端面に衣類を出し入れするための開口部１０ａを有するとともに、その周壁および底壁に通水および通風のための多数の貫通孔（図示せず）を有している。開口部１０ａの縁部には、回転ドラム１０と一体の流体バランサ１０ｂが設けられている。また、回転ドラム１０の内周壁には、奥行方向に伸びるリフタ１０ｃが複数設けられており、洗濯，乾燥時に回転ドラム１０が回転すると、衣類がリフタ１０ｃと遠心力で周壁に沿って持ち上がり，重力で落下する動きを繰り返すようになっている。尚、回転ドラム１０の回転中心は、開口部１０ａ側が高くなるように傾斜している。
【００１７】
外槽２０は、回転ドラム１０を同軸上に内包するとともに前面が開口した円筒状に形成され、内部が洗濯室および乾燥室として機能するようになっている。外槽２０の前面の開口には、合成樹脂製の外槽カバー２０ａが設けられ、外槽２０内へ水を溜めることを可能としている。外槽カバー２０ａの手前側中央には、衣類などを出し入れするための開口部２０ｂが形成されている。この開口部２０ｂと前補強材に設けた開口部は、ゴム製のパッキンで接続されている。このパッキンは、外槽２０とドア２との水密性を維持する役割を果たしている。これにより、洗い，すすぎおよび脱水時の水漏れの防止が図られている。外槽２０の底面には、排水口２０ｃが設けられ、排水ホース８が接続されている。
【００１８】
また、外槽２０の下部は、下側を基部９に固定された複数の防振手段１１（コイルばねとダンパで構成）で防振支持されている。また、外槽２０の上部は、上部補強部材に取り付けた補助ばね（図示せず）で支持されており、外槽２０の前後方向への倒れを防ぐように構成されている。
【００１９】
排水ホース８の先端部は、床面に設けられた排水孔に接続されている。また、排水ホース８の途中には、排水弁２１が設けられ、この排水弁２１を閉じて給水することで外槽２０内に水が溜められ、排水弁２１を開くことで外槽２０内の水が機外へ排出される。
【００２０】
モータ３０は、回転ドラム１０を回転駆動するものであり、外槽２０の背面中央に設けられている。尚、モータ３０の回転軸３１は、外槽２０を貫通し、回転ドラム１０の背面に設けられた金属製フランジ１０ｅと結合している。
【００２１】
また、本実施例の洗濯乾燥機は、筐体１の内部に送風ダクト４０を備えている。送風ダクト４０は、外槽２０の背面側を鉛直方向に延びる後ダクト４２と、外槽２０の上面側を後方から前方に延びる上ダクト４３とを有している。後ダクト４２の下部は、外槽２０の背面下部に設けられた出口２０ｄに柔軟構造のベローズ４１に略水平に接続されている。尚、後ダクト４２内には、水冷除湿機構（図示せず）が設けられている。
【００２２】
上ダクト４３の下流側には、送風手段としてのファン４６と加熱手段としてのヒータ４７とを備えた送風ファンユニット４５が設けられている。送風ファンユニット４５が作動すると、ファン４６による吸引力によって上ダクト４３から送風ファンユニット４５内に空気が取り込まれ、ヒータ４７を通過することにより、取り込まれた空気が加熱されて、送風ファンユニット４５の吐出口（図示せず）から排出される。また、空気が後ダクト４２を通過する際、水冷除湿機構によって冷却されて除湿が行われる。送風ファンユニット４５から排出された加熱空気は、温風ダクト３５，ベローズ３６，吹き出しノズル３７を介して回転ドラム１０内に供給されるようになっている。
【００２３】
次に、本実施例における筐体底部の構成について説明する。本実施例の筐体底部は、筐体本体部を載置するベース９１と、このベース９１の前面を覆うベース前面カバー９２（図６）で構成されている。ベース９１は、前面９１ｆと左右の側面９１ａと背面（図示せず）とで四方を囲むような枠体として一体的に形成される。
【００２４】
図３は、本実施例における洗濯乾燥機の下部前面カバー１ｆを取り外した状態を示す斜視図である。下部前面カバー１ｆは、前面カバー１ｃとともに意匠面を形成するものであり、その一部が、洗濯物のリントを捕集するためのリントフィルタの蓋１ｆｆを兼ねている。更に、この下部前面カバー１ｆは、その両側端部の裏側に係合子（図示せず）が設けられており、左右の側板１ａに設けられた係合溝との間で着脱可能となっている。
【００２５】
また、ベース前面カバー９２も、図４のように、ベース９１の前面９１ｆから完全に取り外しできるように構成されている。具体的には、ベース前面カバー９２の裏側に、図５のような係合子９２ｈが設けられており、ベース９１の前面９１ｆに設けられた係合溝９１ｔとの間で着脱可能となっている。このベース前面カバー９２の裏面には、補強リブ９２ｍが鉛直方向に複数設けられており、ベース前面カバー９２の強度を確保している。
【００２６】
更に、下部前面カバー１ｆの下部には締結穴１ｆｋが設けられ、ベース前面カバー９２の上部には締結穴９２ｋが設けられ、ベース９１の前面９１ｆの上部には締結穴９１ｋが設けられている。そして、下部前面カバー１ｆ及びベース前面カバー９２が、共通ネジによってベース９１に対して共締めされている。したがって、この共通ネジを取り外せば、下部前面カバー１ｆのみならず、ベース前面カバー９２をも、簡単に取り外すことができるようになる。
【００２７】
次に、モータ３０と電気的に接続された制御装置１２の取り付け及び取り外し方法について説明する。
【００２８】
本実施例におけるベース９１には、図９に示す通り、制御装置１２の表面側を支持する係止部９１ｘと、制御装置１２の背面側を支持する係止部９１ｙと、制御装置１２の底面側を支持する係止部９１ｚが設けられている。そして、制御装置１２の背面側の下部に設けられた張出部１２ｈが、ベース９１の係止部９１ｙに設けられた嵌合部９１ｕに嵌合することで、制御装置１２を筐体１の下部に固定される。このため、制御装置１２の上部を筐体の奥行方向へ押すことにより、制御装置１２の下部の張出部１２ｈの嵌合が解除され、制御装置１２を取り出せるようになる。
【００２９】
ここで、ベース９１の前面９１ｆは、上方に向けて開口しており、その開口幅が制御装置１２の幅寸法よりも大きくなっている。したがって、図７のように下部前面カバー１ｆとベース前面カバー９２を取り外せば、図８のように制御装置１２を倒しながら筐体１内から引き抜くことが可能となる。
【００３０】
従来は、外槽２０の下に位置する配管のメンテナンスを行う際、制御装置１２の取り出すのが大変であったが、本実施例では、ベース９１と別体のベース前面カバー９２を取り外し、ベース９１の前面９１ｆの上部に形成された切り欠き部を利用することで、制御装置１２を取り外す作業が格段に容易となる。勿論、制御装置１２そのものの点検も容易となる。
【００３１】
また、ベース９１の前面９１ｆは、ベース９１の底面の高さまで完全に切り欠くのではなく、係止部９１ｘの高さまでは壁面が形成されているので、制御装置１２が完全に横転せず、ある程度傾いた状態で保持することも可能である。
【符号の説明】
【００３２】
１ｃ  前面カバー
１ｆ  下部前面カバー
１ｆｆ  リントフィルタの蓋
１ｆｋ，９１ｋ，９２ｋ  締結穴
１２  制御装置
９１  ベース
９１ａ  ベースの側面
９１ｆ  ベースの前面
９１ｔ  係合溝
９２  ベース前面カバー
【図１】
0005417291.tif 000002
【図２】
0005417291.tif 000003
【図３】
0005417291.tif 000004
【図４】
0005417291.tif 000005
【図５】
0005417291.tif 000006
【図６】
0005417291.tif 000007
【図７】
0005417291.tif 000008
【図８】
0005417291.tif 000009
【図９】
0005417291.tif 000010
【図１０】
0005417291.tif 000011